(57)【要約】【課題】  スティックポインタを備えた入力装置を２つ設けて、種々の入力操作を可能とした入力処理装置を提供する。【解決手段】  キーボード入力装置に、スティックポインタを備えた第１の入力装置と第２の入力装置を配置する。第１の入力装置のスティックポインタ（ＳＰ１）と第２の入力装置のスティックポインタ（ＳＰ２）の操作体の操作方向の組み合わせにより、ズームイン、ズームアウト、右回り、左回り、前戻り、先送り、左送り、右送りなどのジェスチャー機能の入力制御が可能になる。【選択図】図８
2013020289.tif 000002
【特許請求の範囲】
【請求項１】
操作入力部に配置された第１の入力部ならびに第２の入力部と、前記第１の入力部からの入力信号と前記第２の入力部からの入力信号が与えられる制御処理部とが設けられ、
前記第１の入力部と前記第２の入力部のそれぞれに、操作体と、前記操作体に与えられる操作方向および操作力を検知する検知素子とを有するスティックポインタが設けられており、
前記制御処理部では、前記第１の入力部と前記第２の入力部のいずれか一方のスティックポインタから入力信号が得られているときに、そのスティックポインタの操作体に与えられた操作方向と操作力に対応した座標入力処理が行われ、
前記第１の入力部と前記第２の入力部の２つのスティックポインタから入力信号が得られているときに、２つの操作体に与えられる操作方向の組み合わせに応じたジェスチャー制御処理が行われることを特徴とする入力処理装置。
【請求項２】
前記制御処理部では、２つのスティックポインタに設けられた前記検知素子から同時に検知出力が得られたときにジェスチャー制御処理が行われる請求項１記載の入力処理装置。
【請求項３】
前記制御処理部では、予め決められた時間内に、２つのスティックポインタに設けられた前記検知素子から検知出力が得られたときにジェスチャー制御処理が行われる請求項１記載の入力処理装置。
【請求項４】
前記制御処理部では、前記第１の入力部と前記第２の入力部のいずれか一方のスティックポインタから入力信号が得られているときに、前記第１の入力部からの入力信号と、前記第２の入力部からの入力信号とで、互いに異なる制御処理が行われる請求項１ないし３のいずれかに記載の入力処理装置。
【請求項５】
前記制御処理部の設定を変えることによって、２つの入力部からの入力信号と、実行する制御処理の対応の設定と変更が可能である請求項１ないし４のいずれかに記載の入力処理装置。
【請求項６】
前記第１の入力部と前記第２の入力部のそれぞれに、前記操作体が押されたことを検知するスイッチ機能が備えられており、
前記制御処理部では、前記第１の入力部のスイッチ機能が動作したときと、前記第２の入力部のスイッチ機能が動作したときとで、異なるスイッチ制御処理が行われる請求項１ないし５のいずれかに記載の入力処理装置。
【請求項７】
前記制御処理部の設定を変えることによって、２つのスイッチ機能の動作と、スイッチ制御処理との対応の設定と変更が可能である請求項６記載の入力処理装置。
【請求項８】
前記第１の入力部の操作体と前記第２の入力部の操作体を、別々の色彩で照光する光源が設けられている請求項１ないし７のいずれかに記載の入力処理装置。
【発明の詳細な説明】
【技術分野】
【０００１】
本発明は、情報処理装置において、キーボード入力装置などを備えた操作入力部の２箇所に、スティックポインタを備えた入力部が配置されている入力処理装置に関する。
【背景技術】
【０００２】
パーソナルコンピュータの操作盤に、キーボード入力装置と、スティックポインタを有する入力部とが装備されたものがある。この入力部の操作体は、キーボード入力装置を構成するキーの間に配置されているため、手をキーボード入力装置を操作する姿勢のままにして、その指でスティックポインタを操作でき、入力操作をスピーディに行うことが可能である。
【０００３】
以下の特許文献１には、キーボード入力装置のキー配列の領域内に、スティックポインタを有する２つの入力部が配置された入力処理装置が開示されている。
【０００４】
この入力処理装置は、画面に表示された独立した２つのカーソルを、２つのスティックポインタで個別で制御したり、一方のスティックポインタでカーソルを制御し、他方のスティックポインタでスクロール操作を行うことなどが可能となっている。
【先行技術文献】
【特許文献】
【０００５】
【特許文献１】特開２００７−３２８４７５号公報
【発明の概要】
【発明が解決しようとする課題】
【０００６】
従来のように、キーボード入力装置に１つのスティックポインタが備えられた入力処理装置では、スティックポインタの操作で単一の座標データの入力信号を生成して、画面に表示されたカーソルを移動させる制御などが行えるのみであり、多様な入力制御を行うことができない。
【０００７】
特許文献１に記載の入力処理装置は、スティックポインタを有する入力部を２箇所に装備することで２種類の座標データの入力信号を生成することが可能である。しかし、行われているのがカーソルの移動制御とスクロール制御に限られており、その他の多様な入力制御を行えるものではない。
【０００８】
本発明は上記従来の課題を解決するものであり、スティックポインタを有する２つの入力部を用いて、カーソルの移動制御やスクロール制御などに限定されずに、前記制御を含む各種の多様なジェスチャー制御処理を行うことが可能な入力処理装置を提供することを目的としている。
【課題を解決するための手段】
【０００９】
本発明は、操作入力部に配置された第１の入力部ならびに第２の入力部と、前記第１の入力部からの入力信号と前記第２の入力部からの入力信号が与えられる制御処理部とが設けられ、
前記第１の入力部と前記第２の入力部のそれぞれに、操作体と、前記操作体に与えられる操作方向および操作力を検知する検知素子とを有するスティックポインタが設けられており、
前記制御処理部では、前記第１の入力部と前記第２の入力部のいずれか一方のスティックポインタから入力信号が得られているときに、そのスティックポインタの操作体に与えられた操作方向と操作力に対応した座標入力処理が行われ、
前記第１の入力部と前記第２の入力部の２つのスティックポインタから入力信号が得られているときに、２つの操作体に与えられる操作方向の組み合わせに応じたジェスチャー制御処理が行われることを特徴とするものである。
【００１０】
本発明の入力処理装置は、２つのスティックポインタを使用することで、画面に表示された画像を多様に変化させるための各種のジェスチャー制御処理を行うことが可能である。
【００１１】
本発明では、前記制御処理部では、２つのスティックポインタに設けられた前記検知素子から同時に検知出力が得られたときにジェスチャー制御処理が行われる。あるいは、前記制御処理部では、予め決められた時間内に、２つのスティックポインタに設けられた前記検知素子から検知出力が得られたときにジェスチャー制御処理が行われる。
【００１２】
また本発明の前記制御処理部では、前記第１の入力部と前記第２の入力部のいずれか一方のスティックポインタから入力信号が得られているときに、前記第１の入力部からの入力信号と、前記第２の入力部からの入力信号とで、互いに異なる制御処理が行われる。
【００１３】
上記において、前記制御処理部の設定を変えることによって、２つの入力部からの入力信号と、実行する制御処理の対応の設定と変更が可能である。
【００１４】
また、本発明は、前記第１の入力部と前記第２の入力部のそれぞれに、前記操作体が押されたことを検知するスイッチ機能が備えられており、
前記制御処理部では、前記第１の入力部のスイッチ機能が動作したときと、前記第２の入力部のスイッチ機能が動作したときとで、異なるスイッチ制御処理が行われるものとすることが可能である。
【００１５】
この場合も、前記制御処理部の設定を変えることによって、２つのスイッチ機能の動作と、スイッチ制御処理との対応の設定と変更が可能である。
【００１６】
また、本発明は、前記第１の入力部の操作体と前記第２の入力部の操作体を、別々の色彩で照光する光源が設けられているものとして構成できる。
【発明の効果】
【００１７】
本発明の入力処理装置は、スティックポインタを備えた２つの入力部を両手で操作することで、これまでスティックポインタの操作で実現できなかったジェスチャー制御処理を行って、多様な入力制御を行うことが可能になる。
【図面の簡単な説明】
【００１８】
【図１】本発明の実施の形態の入力処理装置を備えたパーソナルコンピュータを示す斜視図、
【図２】本発明の実施の形態の入力処理装置を示す平面図、
【図３】それぞれの入力部の構造を説明する斜視図、
【図４】スティックポインタを構成する検知素子の回路図、
【図５】入力処理装置の回路ブロック図、
【図６】他の構成例の回路ブロック図
【図７】入力処理装置の処理動作を示すフローチャート、
【図８】制御処理部で実行されるジェスチャー制御処理の一覧を示す説明図、
【図９】本発明の実施の形態の入力処理装置を備えた携帯用の情報処理装置を示す斜視図、
【図１０】本発明の実施の形態の入力処理装置を備えた携帯用機器を示す斜視図、
【図１１】本発明の実施の形態の入力処理装置を備えた小型の情報処理装置を示す斜視図、
【発明を実施するための形態】
【００１９】
図１には、情報処理装置の例としてパーソナルコンピュータ１が示されている。パーソナルコンピュータ１は、本体部２と蓋体部３とが折り畳み可能に連結されている。本体部２の表面に操作入力部４が設けられ、蓋体部３の手前側に向く面に、液晶表示パネルで形成された表示装置５の表示画面が設けられている。
【００２０】
操作入力部４に、本発明の実施の形態の入力処理装置１０およびキーボード入力装置１１と、それよりも手前側に配置されたタッチパッド７と、前記タッチパッド７の手前に隣接した位置に配置された左クリック釦８ａと右クリック釦８ｂとが設けられている。タッチパッド７は、指が接触したときの静電容量の変化によって、指の接触位置に対応した座標データを出力するものである。
【００２１】
図１と図２に示すように、キーボード入力装置１１に、Ｘ方向とＹ方位に向けて規則的に配列する複数のキー１２が設けられている。入力処理装置１０は、キー１２の配列領域内に位置する第１の入力部２０Ａおよび第２の入力部２０Ｂを有している。それぞれのキー１２の下に位置する基板に、それぞれのキー１２で押圧動作させられるキースイッチが設けられている。
【００２２】
第１の入力部２０Ａと第２の入力部２０Ｂは、隣接するキー１２とキー１２との間に配置されている。図２に示す例では、第１の入力部２０Ａが「Ｄ」「Ｆ」「Ｃ」を入力するキー１２の間に配置され、主に左手の指で操作しやすくなっている。第２の入力部２０Ｂは、「Ｊ」「Ｋ」「Ｍ」を入力するキー１２の間に配置され、主に右手の指で操作しやすくなっている。
【００２３】
第１の入力部２０Ａと第２の入力部２０Ｂの配置箇所は図２に示す実施の形態に限られないが、第１の入力部２０Ａと第２の入力部２０Ｂは、キーボード入力装置１１内においてＸ方向に間隔を空けて配置されて、キーボード入力装置１１のキー１２を操作している姿勢の左手の指と右手の指で、個別に操作しやすい位置に配置されていることが好ましい。
【００２４】
図３に、第１の入力部２０Ａの構造が示されている。第１の入力部２０Ａは、第１のスティックポインタ２１Ａと、第１のスイッチ部２８Ａと、第１の光源２９Ａを有している。
【００２５】
第１のスティックポインタ２１Ａは、合成樹脂で形成された支持台２２を有しており、支持台２２に、Ｘ方向に延びるプラスＸ変形部２３ａおよびマイナスＸ変形部２３ｂと、Ｙ方向に延びるプラスＹ変形部２４ａおよびマイナスＹ変形部２４ｂが一体に形成されている。支持台２２の中央に、上向きに突出する第１の操作体２５Ａが一体に設けられている。第１の操作体２５Ａは、プラスＸ変形部２３ａおよびマイナスＸ変形部２３ｂと、プラスＹ変形部２４ａおよびマイナスＹ変形部２４ｂの中心に位置している。
【００２６】
支持台２２は、その外縁部が、キーボード入力装置１１の基板に固定されている。指から第１の操作体２５Ａに対して、Ｘ方向やＹ方向などに操作力が与えられると、その操作方向と操作力に対応して、プラスＸ変形部２３ａ、マイナスＸ変形部２３ｂ、プラスＹ変形部２４ａならびにマイナスＹ変形部２４ｂに撓みが発生する。
【００２７】
支持台２２には、プラスＸ変形部２３ａの上表面に、プラスＸ歪みセンサ２６ａが取り付けられ、マイナスＸ変形部２３ｂの上表面に、マイナスＸ歪みセンサ２６ｂが取り付けられている。プラスＹ変形部２４ａの上表面にプラスＹ歪みセンサ２７ａが、マイナスＹ変形部２４ｂの上表面にマイナスＹ歪みセンサ２７ｂが取り付けられている。なお、それぞれの歪みセンサ２６ａ，２６ｂ，２７ａ，２７ｂは、変形部２３ａ，２３ｂ，２４ａ，２４ｂの下表面に取り付けられていてもよい。
【００２８】
歪みセンサ２６ａ，２６ｂ，２７ａ，２７ｂが、第１のスティックポインタ２１Ａの検知素子である。それぞれの歪みセンサ２６ａ，２６ｂ，２７ａ，２７ｂは抵抗膜である。歪みセンサ２６ａ，２６ｂ，２７ａ，２７ｂは互いに接続されて図４に示すブリッジ回路が構成されている。
【００２９】
図３において操作体２５Ａがθｘ方向やθｙ方向あるいは、それ以外の向きに倒れるように押圧されると、その押圧方向および押圧する力に応じて、プラスＸ変形部２３ａ、マイナスＸ変形部２３ｂ、プラスＹ変形部２４ａならびにマイナスＹ変形部２４ｂに撓みが発生し、それぞれの歪みセンサ２６ａ，２６ｂ，２７ａ，２７ｂの抵抗値が変化する。この抵抗値の変化に応じて、図５に示すブリッジ回路からＸ操作出力およびＹ操作出力が得られる。
【００３０】
図３に示すように、第１の入力部２０Ａに設けられた第１のスイッチ部２８Ａは、第１のスティックポインタ２１Ａの支持台２２の下側に設けられており、第１の操作体２５Ａが軸方向の真下に向けて押し込まれると、接点が導通してオン状態になる。図３に示す実施の形態では、接点を有する機械式の第１のスイッチ部２８Ａが第１の入力部２０Ａのスイッチ機能を構成している。ただし、機械式のスイッチ部を設けずに、第１の操作体２５Ａが軸方向の真下に向かって押されたときに、それぞれの歪みセンサ２６ａ，２６ｂ，２７ａ，２７ｂの抵抗値が同時に同じ向きに変化することを検知するスイッチ回路を別個に設け、このスイッチ回路でスイッチ機能を構成してもよい。
【００３１】
第１の入力部２０Ａに設けられた第１の光源２９Ａは、１種または異なる色相の光を発する複数種のＬＥＤを有している。第１の操作体２５Ａの少なくとも一部が光を透過できる構成であり、第１の光源２９Ａが点灯すると第１の操作体２５Ａが明るく照らし出される。
【００３２】
第２の入力部２０Ｂの構造は、第１の入力部２０Ａの構造と同じである。第２の入力部２０Ｂは、図３に示したのと同じ構造の第２のスティックポインタ２１Ｂ、第２の操作体２５Ｂ、第２のスイッチ部２８Ｂおよび第２の光源２９Ｂを備えている。
【００３３】
図５は、前記入力処理装置１０の回路構成を示すブロック図である。
第１の入力部２０Ａの第１のスティックポインタ２１ＡのＸ操作出力とＹ操作出力、ならびに第１のスイッチ部２８Ａのスイッチ検知出力が主信号生成部３１に与えられる。第２の入力部２０Ｂの第２のスティックポインタ２１ＢのＸ操作出力とＹ操作出力、ならびに第２のスイッチ部２８Ｂのスイッチ検知出力が副信号生成部３２に与えられる。
【００３４】
第２の入力部２０Ｂの各出力は、副信号生成部３２でＡ／Ｄ変換され、所定バイトの信号に変換されて、主信号生成部３１に転送される。主信号生成部３１では、第１の入力部２０Ａの各出力がＡ／Ｄ変換され、副信号生成部３２から与えられた第２の入力部２０Ｂからの出力信号と共に所定バイトの入力信号に変換されてフォーマット化される。
【００３５】
キーボード入力装置１１のそれぞれのキースイッチから与えられるキー検知出力は、キー信号生成部３３においてＡ／Ｄ変換されて、所定バイト数の入力信号に変換されてフォーマット化される。
【００３６】
主信号生成部３１と副信号生成部３２、およびキー信号生成部３３は、キーボード入力装置１１の基板に実装された集積回路で構成されている。
【００３７】
主信号生成部３１で生成された入力信号３１ａと、キー信号生成部３３で生成された入力信号３３ａは、パーソナルコンピュータ１の本体制御部にインストールされたアプリケーションソフト３４へ与えられる。そして、アプリケーションソフト３４で実行された制御情報がオペレーティングシステム（ＯＳ）３５に与えられて、パーソナルコンピュータ１の表示装置５の表示画面が制御される。この実施の形態では、アプリケーションソフト３４の制御動作が制御処理部として機能している。
【００３８】
図６に示す変形例に示すように、副信号生成部３２を設けずに、主信号生成部３１のみが設けられていてもよい。この場合は、第１のスティックポインタ２１Ａの検知出力と第１のスイッチ部２８Ａのスイッチ検知出力、および第２のスティックポインタ２１Ｂの検知出力と第２のスイッチ部２８Ｂのスイッチ検知出力が、全て主信号生成部３１に与えられる。第１の入力部２０Ａからの検知出力と第２の入力部２０Ｂからの検知出力が、主信号生成部３１でＡ／Ｄ変換されて、所定バイト数のフォーマット化された入力信号３１ａが生成され、アプリケーションソフト３４に与えられる。
【００３９】
次に、上記入力処理装置１０の動作制御を説明する。図７に示すフローチャートには、各ステップが「ＳＴ」で示されている。
【００４０】
電源が投入されアプリケーションソフト３４が有効になっているときにＳＴ１（ステップ１）で処理動作が開始される。ＳＴ２では、アプリケーションソフト３４の制御動作で主信号生成部３１からの入力信号３１ａを監視して、第１の入力部２０Ａの第１のスティックポインタ（ＳＰ１）２１Ａからの入力信号と第２の入力部２０Ｂの第２のスティックポインタ（ＳＰ２）２１Ｂからの入力信号の少なくとも一方に、しきい値を超える変化があるかを判定する。
【００４１】
しきい値を超えたときは、ＳＴ３において、第１のスティックポインタ２１Ａと第２のスティックポインタ２１Ｂの双方からの入力信号がしきい値を超えているか否かを判定する。ここでは、第１のスティックポインタ２１Ａからの入力信号と第２のスティックポインタ２１Ｂからの入力信号の双方が同時にしきい値を超えていたら「双方からの入力信号がしきい値を超えている」と判定する。また、予め決められた一定の時間内に、第１のスティックポインタ２１Ａからの入力信号と第２のスティックポインタ２１Ｂからの入力信号の双方がしきい値を超えたら「双方からの入力信号がしきい値を超えている」と判定する。
【００４２】
すなわち、予め決められた一定長さの監視時間を設定し、この監視時間内に、第１のスティックポインタ２１Ａからの入力信号と第２のスティックポインタ２１Ｂからの入力信号の双方がしきい値を超えていたら「双方からの入力信号がしきい値を超えている」と判定する。この監視時間を繰り返して実行することで、第１のスティックポインタ２１Ａと第２のスティックポインタ２１Ｂが同時に操作されているか否かを判定することが可能になる。
【００４３】
ＳＴ３において、第１のスティックポインタ２１Ａからの入力信号と第２のスティックポインタ２１Ｂからの入力信号の双方がしきい値を超えていると判定できないとき、すなわちいずれか一方のスティックポインタからの入力信号がしきい値を超えているときは、ＳＴ４に移行する。
【００４４】
ＳＴ４において、第１のスティックポインタ２１Ａからの入力信号がしきい値を超えたと判定されたら、ＳＴ５に移行し、第１のスティックポインタ２１Ａからの入力信号を確認する。第１のスティックポインタ２１Ａからの入力信号が、Ｘ方向またはＹ方向への所定距離以上の移動を示す座標信号であると確認したら、ＳＴ６において、表示装置５の画面に表示されている情報群を、Ｘ方向またはＹ方向へスクロールさせる座標入力処理が行われる。このとき、第１の操作体２５Ａに与える操作方向に基づいて、スクロール方向が決定され、その操作力の大小に比例してスクロール処理の速度が可変される。
【００４５】
ＳＴ４において、第１のスティックポインタ２１Ａからの入力信号がしきい値を超えていないと判定されると、第２のスティックポインタからの入力信号がしきい値を超えていると判定し、ＳＴ７に移行して、第２のスティックポインタ２１Ｂからの入力信号を確認する。第２のスティックポインタ２１Ｂから、Ｘ方向またはＹ方向への所定距離以上の座標信号が入力されたと判断したときは、ＳＴ８に移行し、表示装置５の表示画面に現れているカーソル９を移動させる座標入力処理が行われる。
【００４６】
ＳＴ８では、第２の入力部２０Ｂの第２の操作体２５Ｂに与えられる操作力の方向に応じて、カーソル９の移動方向が決められ、第２の操作体２５Ｂに与えられる操作力の大小に比例して、カーソル９の移動距離が決められる。
【００４７】
ＳＴ３において、第１のスティックポインタ２１Ａからの入力信号と第２のスティックポインタ２１Ｂからの入力信号の双方がしきい値を超えていると判定されたら、ＳＴ９に移行して、第１のスティックポインタ２１Ａからの座標信号から操作方向とその操作力を確認し、第２のスティックポインタ２１Ｂの入力信号から操作方向と操作力を確認し、ＳＴ１０に移行する。
【００４８】
ＳＴ１０では、第１のスティックポインタ２１Ａと第２のスティックポインタ２１Ｂの双方の入力信号に応じて、実行するジェスチャー信号が選択される。
【００４９】
図８に、両スティックポインタ２１Ａ，２１Ｂの入力信号とジェスチャー信号との対応表が示されている。図８に示すように、アプリケーションソフト３４による制御処理では、ＳＴ９で確認された両スティックポインタ２１Ａ，２１Ｂの入力信号の座標データの方向に基づいて、ジェスチャー信号が選択されて生成され、ジェスチャー制御処理が実行される。
【００５０】
図８（１）に示すように、第１の入力部２０Ａの操作体２５Ａに対して右向きの操作力が与えられて、第１のスティックポインタ２１ＡからプラスＸ方向の座標信号が得られ、これと共に、第２の入力部２０Ｂの操作体２５Ｂに対して左向きの操作力が与えられて、第２のスティックポインタ２１ＢからマイナスＸ方向の座標信号が得られたら、ズームアウトのジェスチャー制御処理が実行される。
【００５１】
ズームアウトのジェスチャー制御処理では、表示装置５の画面に表示されている画像が縮小される。第１の操作体２５Ａと第２の操作体２５Ｂに与えられる操作力の大きさに応じて、画像の縮小比率が変化する。なお、第１の操作体２５Ａと第２の操作体２５Ｂは常に中立位置に復帰しようとしているため、指が第１の操作体２５Ａと第２の操作体２５Ｂから離れると、画像が初期の大きさに復帰する。または、指が第１の操作体２５Ａと第２の操作体２５Ｂから離れたときに、縮小された画像がそのまま保持されてもよい。
【００５２】
図８（２）に示すように、第１の入力部２０Ａの操作体２５Ａに対して左向きの操作力が与えられて、第１のスティックポインタ２１ＡからマイナスＸ方向の座標信号が得られ、これと共に、第２の入力部２０Ｂの操作体２５Ｂに対して右向きの操作力が与えられて、第２のスティックポインタ２１ＢからプラスＸ方向の座標信号が得られたら、ズームインのジェスチャー制御処理が実行される。
【００５３】
ズームインのジェスチャー制御処理では、表示装置５の画面に表示されている画像が拡大される。第１の操作体２５Ａと第２の操作体２５Ｂに与えられる操作力の大きさに応じて、画像の拡大比率が変化する。また、指が第１の操作体２５Ａと第２の操作体２５Ｂから離れると、画像が初期の大きさに復帰する。あるいは、拡大された画像がそのまま保持される。
【００５４】
図８（３）に示すように、第１の入力部２０Ａの操作体２５Ａに対して手前に向く操作力が与えられ、第１のスティックポインタ２１ＡからマイナスＹ方向の座標信号が得られ、第２の入力部２０Ｂの操作体２５Ｂに対して前向きの操作力が与えられて、第２のスティックポインタ２１ＢからプラスＹ方向の座標信号が得られたら、左回りのジェスチャー制御処理が行われる。
【００５５】
左回りのジェスチャー制御処理では、表示装置５の画面に表示されている画像が、画面に垂直な軸を中心として反時計方向へ回転させられる。第１の操作体２５Ａと第２の操作体２５Ｂに与えられる操作力の大きさに応じて、画像の回転角度または回転速度が変化する。指が第１の操作体２５Ａと第２の操作体２５Ｂから離れると、画像が初期の回転姿勢に復帰する。
【００５６】
図８（４）に示すように、第１の入力部２０Ａの操作体２５Ａに対して前向きの操作力が与えられて、第１のスティックポインタ２１ＡからプラスＹ方向の座標信号が得られ、第２の入力部２０Ｂの操作体２５Ｂに対して手前向きの操作力が与えられて、第２のスティックポインタ２１ＢからマイナスＹ方向の座標信号が得られたら、右回りのジェスチャー制御処理が行われる。
【００５７】
右回りのジェスチャー制御処理では、表示装置５の画面に表示されている画像が、画面に垂直な軸を中心として時計方向へ回転させられる。第１の操作体２５Ａと第２の操作体２５Ｂに与えられる操作力の大きさに応じて、画像の回転角度または回転速度が変化する。指が第１の操作体２５Ａと第２の操作体２５Ｂから離れると、画像が初期の回転姿勢に復帰する。
【００５８】
図８（５）に示すように、第１の入力部２０Ａの操作体２５Ａと第２の入力部２０Ｂの操作体２５Ｂの双方に対して前向きの操作力が与えられて、第１のスティックポインタ２１Ａと第２のスティックポインタ２１Ｂの双方からプラスＹ方向の座標信号が得られたら、前戻りのジェスチャー制御が行われる。
【００５９】
前戻りのジェスチャー制御では、表示装置５の画面に表示されている画像全体が下方向（マイナスＹ方向）へ速い速度で移動する。このジェスチャー制御は、図７のＳＴ６のスクロール制御とは異なる処理動作である。スクロール制御は、画面に表示されている画像の例えば文字列がＹ方向へ順番に進んでいくが、前戻りのジェスチャー制御では、画面に表示されている画像が一群の単位となってマイナスＹ方向へ次々にまとめて移動する。
【００６０】
または、図８（５）のジェスチャー制御処理において、画面に表示されている画像が一群となって、両手の移動方向である上方向（プラスＹ方向）へまとめて次々に移動してもよい。また、画面に絵や文字が記載された画像が頁単位で表示されているときは、図８（５）において、右めくりのジェスチャー制御処理が行われて、頁が両手の動きに合わせて上方向へ捲れて次ぎの頁が現れるようにしてもよい。
【００６１】
図８（６）に示すように、第１の入力部２０Ａの操作体２５Ａと第２の入力部２０Ｂの操作体２５Ｂの双方に対して手前向きの操作力が与えられて、第１のスティックポインタ２１Ａと第２のスティックポインタ２１Ｂの双方からマイナスＹ方向の座標信号が得られたら、先送りのジェスチャー制御が行われる。
【００６２】
先送りのジェスチャー制御では、表示装置５の画面に表示されている画像全体が上方向（プラスＹ方向）へ速い速度で移動する。すなわち、画面に表示されている画像が一群の単位となってプラスＹ方向へ次々にまとめて移動する。
【００６３】
または、図８（６）のジェスチャー制御処理において、画面に表示されている画像が一群となって、両手の移動方向である下方向（マイナスＹ方向）へまとめて次々に移動してもよい。また、画面に絵や文字が記載された画像が頁単位で表示されているときは、図８（６）において、下めくりのジェスチャー制御処理が行われて、頁が両手の動きに合わせて下方向へ捲れて次ぎの頁が現れてもよい。
【００６４】
図８（７）に示すように、第１の入力部２０Ａの操作体２５Ａと第２の入力部２０Ｂの操作体２５Ｂの双方に対し右向きの操作力が与えられて、第１のスティックポインタ２１Ａと第２のスティックポインタ２１Ｂの双方からプラスＸ方向の座標信号が得られたら、左送りのジェスチャー制御が行われる。
【００６５】
先送りのジェスチャー制御では、表示装置５の画面に表示されている画像全体が一群の情報となってまとまって左方向（マイナスＸ方向）へ次々へ移動する。
【００６６】
または、画像全体が一群となって、両手の操作方向に対応して右方向（プラスＸ方向）へ次々へ移動してもよい。また、画面に絵や文字が記載された画像が頁単位で表示されているときは、図８（７）のジェスチャー制御処理によって、右めくりジェスチャー制御処理が行われ、頁が右方向へ向けて捲れて次ぎの頁が現れてもよい。
【００６７】
図８（８）に示すように、第１の入力部２０Ａの操作体２５Ａと第２の入力部２０Ｂの操作体２５Ｂの双方に対し左向きの操作力が与えられて、第１のスティックポインタ２１Ａと第２のスティックポインタ２１Ｂの双方からマイナスＸ方向の座標信号が得られたら、右送りのジェスチャー制御が行われる。
【００６８】
右送りのジェスチャー制御では、表示装置５の画面に表示されている画像全体が一群の情報となってまとまって右方向（プラスＸ方向）へ次々へ移動する。
【００６９】
または、画像全体が一群となって、両手の操作方向に対応して左方向（マイナスＸ方向）へ次々へ移動してもよい。また、画面に絵や文字が記載された画像が頁単位で表示されているときは、図８（８）によって、右めくりジェスチャー制御処理が行われ、頁が左方向へ向けて捲れて次ぎの頁が現れてもよい。
【００７０】
図８（５）（６）（７）（８）のジェスチャー制御処理が行われるときに、第１の操作体２５Ａと第２の操作体２５Ｂに対する１回の操作で、画像が１群のみ例えば１頁のみ移動してもよいし、両操作体２５Ａ，２５Ｂに与えられている操作力の大きさに比例して、１頁の捲り動作、２頁の捲り操作、３頁の捲り操作、・・・、のように捲り枚数が多くなってもよい。または、第１の操作体２５Ａと第２の操作体２５Ｂに対する操作力を与え続けている間、画像の頁が次々に捲れていき、操作力の大小に比例して、頁が捲れて行く速度が変化してもよい。
【００７１】
次に、第１の入力部２０Ａの操作体２５Ａが軸方向へ押し込まれると、第１のスイッチ部２８Ａがオン状態となり、第２の入力部２０Ｂの操作体２５Ｂが軸方向へ押し込まれると、第２のスイッチ部２８Ｂがオン状態となる。このスイッチ信号は、主信号生成部３１からの入力信号３１ａとしてアプリケーションソフト３４による動作制御に伝達される。
【００７２】
アプリケーションソフト３４の制御動作では、第１のスイッチ部２８Ａと第２のスイッチ部２８Ｂのどちらが操作されたかに応じて、異なる制御処理が行われる。例えば、第１の入力部２０Ａのスイッチ部２８Ａが操作されたら、図１に示した左クリック釦８ａが押されたのと同じ制御処理が行われ、第２の入力部２０Ｂのスイッチ部２８Ｂが操作されたら、図１に示した右クリック釦８ｂが押されたのと同じ制御処理が行われる。
【００７３】
また、第１のスイッチ部２８Ａと第２のスイッチ部２８Ｂの双方が押されたときは、マウスに装備された左クリック釦８ａと右クリック釦８ｂの間に位置する中央クリック釦が押されたのと同じ制御処理が行われる。
【００７４】
前述のように、機械式のスイッチ部２８Ａ，２８Ｂを設けずに、スティックポインタ２１Ａ，２１Ｂに設けられた４つの歪みセンサ２６ａ，２６ｂ，２７ａ，２７ｂの抵抗値が全て同じ状態に変化したときに、操作体２５Ａ，２５Ｂが軸方向へ押されて第１または第２のスイッチ機能が動作したと判断することが可能である。
【００７５】
この場合は、図７のＳＴ１１において、第１のスティックポインタ２１Ａの出力がスイッチ機能の出力であると判断したら、ＳＴ１２に移行して、例えば左クリック釦８ａと同じ制御処理が行われる。ＳＴ１３において、第２のスティックポインタ２１Ｂの出力がスイッチ機能の出力であると判断したら、ＳＴ１４に移行して、例えば右クリック釦８ｂと同じ制御処理が行われる。
【００７６】
なお、アプリケーションソフト３４を起動し、表示装置５の画面に設定メニューを表示させ、キーボード入力装置１１を操作することで、図８に示した各種ジェスチャー機能の設定変更や割り振りの変更、および第１の入力部２０Ａのスイッチ機能と第２の入力部２０Ｂのスイッチ機能の設定変更や割り振りを変更することが可能である。
【００７７】
また、図３に示すように、第１の入力部２０Ａを照光する第１の光源２９Ａと、第２の入力部２０Ｂを照光する第２の光源２９Ｂの点灯を制御することで、第１の操作体２５Ａと第２の操作体２５Ｂを照光することができる。また、第１の光源２９Ａと第２の光源２９Ｂをそれぞれ複数種類のＬＥＤで構成することで、第１の操作体２５Ａと第２の操作体２５Ｂを異なる色相で照光することができる。
【００７８】
例えば、図８（１）〜（８）に示すそれぞれのジェスチャー制御の実行に伴って、それぞれのジェスチャー毎に異なる色相で、第１の操作体２５Ａと第２の操作体２５Ｂを照光することができる。
【００７９】
前記実施の形態では、制御処理部として機能するアプリケーションソフト３４において、図８に示すように、第１のスティックポインタ２１Ａと第２のスティックポインタ２１Ｂからの入力信号の向きを判断して、各ジェスチャー制御処理が実行される。ただし、本発明では、アプリケーションソフト３４の前段に設けられた制御回路やドライバーソフトによって、第１のスティックポインタ２１Ａと第２のスティックポインタ２１Ｂからの入力信号が分析されて、各ジェスチャー制御動作が指示されまたは実行されてもよい。
【００８０】
図９ないし図１１に、本発明の実施の形態の入力処理装置１０を搭載した他の情報処理装置が示されている。
【００８１】
図９に携帯用の情報処理装置１０１が示されている。情報処理装置１０１は、小型の本体部１０２と小型の蓋体部１０３が折り畳み自在に連結されている。本体部１０２に操作入力部１０４が設けられ、蓋体部１０３に表示装置１０５が設けられている。操作入力部１０４に、小型のキーボード入力装置１１１と、入力処理装置１０を構成する第１の入力部２０Ａと第２の入力部２０Ｂが設けられている。第１の入力部２０Ａと第２の入力部２０Ｂは、キーボード入力装置１１１のキー配列領域から左右両側に外れた位置に配置されている。
【００８２】
この情報処理装置１０１は、本体部１０２を両手で保持して操作するのに適した小型のものであり、例えば左手の親指で第１の入力部２０Ａが操作され、右手の親指で第２の入力装置２０Ｂが操作される。
【００８３】
図１０に、電話機能とメール送受信機能を有する携帯用機器２０１が示されている。この携帯用機器２０１は、本体部２０２とその前面において縦方向にスライドする蓋体部２０３を有し、蓋体部２０３に表示装置２０５が設けられている。本体部２０２に操作入力部２０４が設けられ、ここにテンキー入力部２１１とともに、入力処理装置１０を構成する第１の入力部２０Ａと第２の入力部２０Ｂが設けられている。
【００８４】
図１１に示す小型の情報処理装置３０１は、両手で保持される大きさの本体部３０２を有している。本体部３０２に表示装置３０５が設けられている。この表示装置３０５は液晶表示パネルなどの表示部と、その表面に設けられた静電容量型や抵抗変化型のタッチパッドを有している。そして、表示装置３０５の両側に入力処理装置１０を構成する第１の入力部２０Ａと第２の入力部２０Ｂが配置されている。
【００８５】
この情報処理装置３０１は、指で表示画面をタッチすることで各種入力操作ができ、さらに左手の親指で第１の入力部２０Ａを操作することができ、右手の親指で第２の入力装置２０Ｂを操作することができる。
【符号の説明】
【００８６】
１  パーソナルコンピュータ
４  操作入力部
５  表示装置
９  カーソル
１０  入力処理装置
１１  キーボード入力装置
１２  キー
２０Ａ  第１の入力部
２０Ｂ  第２の入力部
２１Ａ  第１のスティックポインタ
２１Ｂ  第２のスティックポインタ
２５Ａ  第１の操作体
２５Ｂ  第２の操作体
２６ａ，２６ｂ，２７ａ，２７ｂ  歪みセンサ（検知素子）
２８Ａ  第１のスイッチ部
２８Ｂ  第２のスイッチ部
２９Ａ  第１の光源
２９Ｂ  第２の光源
３１  主信号生成部
３２  副信号生成部
１０１，２０１，３０１  情報処理装置
【図１】
2013020289.tif 000003
【図２】
2013020289.tif 000004
【図３】
2013020289.tif 000005
【図４】
2013020289.tif 000006
【図５】
2013020289.tif 000007
【図６】
2013020289.tif 000008
【図７】
2013020289.tif 000009
【図８】
2013020289.tif 000010
【図９】
2013020289.tif 000011
【図１０】
2013020289.tif 000012
【図１１】
2013020289.tif 000013